(57)【要約】【課題】釣糸を竿体に挿通させたままでも、円滑に竿体の振出形式による出し入れを為し得る中通し竿を提供する。【解決手段】この中通し竿は、穂先側端部外周面に第１釣糸導入口８が形成されている元竿１と、元竿１の穂先側に振出形式に連結される元上竿２とを備えている。元上竿２は、竿元側端部の外径が大径化した部分であり元竿１の第１釣糸導入口８の竿元側内周面に嵌着可能な嵌合部分２ａと、嵌合部分２ａの穂先側の周面に形成され嵌合部分２ａが元竿１の内周面に嵌着した際に第１釣糸導入口８とその軸方向位置が合致する第２釣糸導入口１０とを有している。【選択図】　　　図２
2004089112.tif 000002
【特許請求の範囲】
【請求項１】
竿体の内部に釣糸を挿通させるための釣糸通路を有する中通し竿であって、
穂先側端部外周面に第１釣糸導入口が形成されている第１竿体と、
前記第１竿体の穂先側に前記第１竿体内に出入自在に連結される第２竿体とを備え、
前記第２竿体は、竿元側端部の外径が大径化した部分であり前記第１竿体の前記第１釣糸導入口の竿元側内周面に嵌着可能な嵌合部分と、前記嵌合部分の穂先側の周面に形成され前記嵌合部分が前記第１竿体の内周面に嵌着した際に前記第１釣糸導入口とその位置が合致する第２釣糸導入口とを有している、中通し竿。
【請求項２】
前記第１竿体は、ストレートテーパ部分と、前記ストレートテーパ部分の竿元側に連続して竿元側ほど内径が大径化する第１テーパ部分と、前記第１テーパ部分の竿元側に連続してなり前記第１テーパ部分より緩やかなテーパで竿元側ほど内径が大径化する第２テーパ部分とを有し、
前記第１テーパ部分に前記第１釣糸導入口が形成されており、前記第２竿体の嵌合部分は前記第２テーパ部分の穂先側端部内周面に嵌着する、請求項１に記載の中通し竿。
【発明の詳細な説明】
【０００１】
【発明の属する技術分野】
本発明は、魚釣りに用いる釣竿、特に、リールからの釣糸が竿体内部を挿通する中通し竿に関する。
【０００２】
【従来の技術】
いわゆる振出形式の中通し竿は、複数の筒状の竿体が順次連結されて構成されており、具体的には、竿元側の元竿から、元上竿，中竿，穂先竿等が順次連結される。各竿体の竿元側端部と穂先側内周面とにそれぞれ相互に嵌合して連結するための部分が形成される。そして、釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
ところで、振出形式の中通し竿では、最も竿元側に位置する元竿等の穂先側周面にリールからの釣糸を導入するための釣糸導入口が形成され、その穂先側端部内周面が元上竿との連結部分となっているものが一般的である（例えば、特許文献１参照）。また、このような連結部分の雄側（元上竿の竿元側端部外周）は太径化させて若しくは太径の別体を取り付けており、この雄側を連結部分の雌側（元竿の穂先側端部内周）と嵌着させることも多い（例えば、特許文献２参照）。
【０００４】
しかし、振出形式の中通し竿では、釣糸を竿体内部に挿通させたまま穂先側の竿体を竿元側の竿体内部に収納することが多く、釣糸は、釣糸導入口より竿元側方向に折り返されて、元上竿の竿元側端面から再び元上竿内部に至り穂先側に導かれる状況になる。この際に、図５に示すように、太径化した元上竿１０２の連結部分の雄側１０２ａ付近で、元竿１０１の内周面と元上竿１０２の外周面との間に釣糸Ｌが挟まって噛み込まれてしまう恐れが生じる。このような噛み込みは竿体の円滑な出し入れを阻害する一因となる。
【０００５】
【特許文献１】
実開平７−３６６５１号公報（図３参照）
【０００６】
【特許文献２】
特開平１０−１７８９７６号公報（第３頁右欄，図１参照）
【０００７】
【発明が解決しようとする課題】
本発明の課題は、釣糸を竿体に挿通させたままでも、円滑に竿体の振出形式による出し入れを為し得る中通し竿を提供することにある。
【０００８】
【課題を解決するための手段】
発明１の中通し竿は、竿体の内部に釣糸を挿通させるための釣糸通路を有する中通し竿であって、穂先側端部外周面に第１釣糸導入口が形成されている第１竿体と、第１竿体の穂先側に前記第１竿体内に出入自在に連結される第２竿体とを備えている。この第２竿体は、竿元側端部の外径が大径化した部分であり第１竿体の第１釣糸導入口の竿元側内周面に嵌着可能な嵌合部分と、嵌合部分の穂先側の周面に形成され嵌合部分が第１竿体の内周面に嵌着した際に第１釣糸導入口とその位置が合致する第２釣糸導入口とを有している。
【０００９】
この中通し竿では、釣りを行う際には、釣人は第２竿体を第１竿体の穂先側に引き出して連結し一本の釣竿として用いる。具体的には、釣人は、第２竿体の竿元側端部の元上竿嵌合部分を嵌合部分を第１竿体の内周面に嵌着させて連結し、釣糸を第１竿体の第１釣糸導入口及び第２竿体の第２釣糸導入口より第２竿体の竿体内部に導入し、この釣糸を穂先側に導く。
【００１０】
一方、釣竿を収納する際には、釣人は釣糸を各竿体内に挿通させたままで竿体を順次収納してコンパクトな状態とする。この場合、釣糸は第１釣糸導入口から第１竿体内を竿元側に折り返され、第１竿体内に収納された第２竿体の第２釣糸導入口から再び穂先側に折り返される。この際、第２釣糸導入口は嵌合部分の穂先側に位置しており、釣糸は大径化した嵌合部分で竿体どうしの隙間に挟み込まれることはない。
【００１１】
発明２の中通し竿は、発明１の中通し竿であって、第１竿体は、ストレートテーパ部分と、ストレートテーパ部分の竿元側に連続して竿元側ほど内径が大径化する第１テーパ部分と、第１テーパ部分の竿元側に連続してなり第１テーパ部分より緩やかなテーパで竿元側ほど内径が大径化する第２テーパ部分とを有している。そして、この第１テーパ部分に第１釣糸導入口が形成されており、第２竿体の嵌合部分は第２テーパ部分の穂先側端部内周面に嵌着する。
【００１２】
この中通し竿では、第１竿体に竿元側ほど内径が大径化する２段テーパが形成されており、第１竿体の第１釣糸導入口の竿元側には第１竿体内周面と第２竿体外周面との間に大きなクリアランスが形成される。このクリアランスが竿体収納時の釣糸が挿通するための通路となり、嵌合部分以外での竿体間での釣糸の挟み込みも防止される。
【００１３】
【発明の実施の形態】
［第１実施形態］
本発明の第１実施形態を採用する中通し竿について、図面を参照しつつ説明する。
この中通し竿は、図１に示すように、元竿１と、元竿１の穂先側に順次連結される、元上竿２，中竿３，穂先竿４とを有している。これら各竿体は、それぞれ炭素繊維やガラス繊維などの強化繊維にエポキシ樹脂等の合成樹脂を含浸させたプリプレグ素材からなる先細り筒状部材である。後に詳しく説明するように、これらの各竿体はいわゆる振出形式で連結されており、穂先側に位置する竿体は順次竿元側に位置する竿体内部に収納可能である。
【００１４】
元竿１は、全体として竿元側ほど大径化するようなテーパが施された筒状体である。竿元側周面にリール５を脱着自在に装着可能なリールシート６を有し、竿元側端部には尻栓７が脱着自在に装着されている。また、元竿１の穂先側端部の外周面には、リール５からの釣糸Ｌを竿体内に導入するための第１釣糸導入口８が形成されており、この第１釣糸導入口８付近の元竿１の周面には釣糸導入ガイド９が装着されている。
【００１５】
リールシート６は別途成形したパイプ状の部材からなり、これを所定の周面位置に配置して固定されている。リール５のリール脚をこのリールシート６上に載置した上で所定の固定フード・移動フードでリール脚を挟持して固定する。
図２に詳しく示すように、第１釣糸導入口８は元竿１の軸方向を長径とする楕円型の孔である。この第１釣糸導入口８の周縁にはセラミックスなどの硬質部材をその孔型にあわせて形成したガイドリングをはめ込んで固定してもよい。
【００１６】
釣糸導入ガイド９はリール５からの釣糸Ｌを第１釣糸導入口８に案内するためのガイド部材である。例えば、図２に示すように、第１釣糸導入口８を軸方向に跨ぐようにして配置され、巻糸などで元竿１に固定されている。竿元側部分にガイドリングを備えており、このガイドリングを釣糸Ｌが挿通している。
図２に示すように、元上竿２は、元竿１の穂先側に連結される竿体である。元竿１と同様に全体として竿元側ほど大径化するテーパが施された筒状体である。竿元側端部は他の部分より特に外径が太径化した嵌合部分２ａとなっており、嵌合部分２ａの穂先側の周面には第２釣糸導入口１０が形成されている。また、元上竿２の内周面には必要に応じて、釣糸Ｌを支持するための釣糸支持突起を形成してもよい。
【００１７】
嵌合部分２ａは、元上竿２を製造する際に部分的にプリプレグ素材を別途積層して形成した部分である。その外径は研磨加工などによって径調整され、元竿１の穂先側の内径、詳しくは、第１釣糸導入口８の竿元側の内径に合致するように設定される。第２釣糸導入口１０は上述の第１釣糸導入口８とほぼ同型に形成される貫通孔である。上述の嵌合部分２ａが元竿１の穂先側内周面に嵌着した際に、第２釣糸導入口１０と元竿１の第１釣糸導入口８との軸方向位置が合致するように設定される。なお、この第２釣糸導入口１０の周縁にも第１釣糸導入口８と同様のガイドリングを装着してもよい。
【００１８】
中竿３及び穂先竿４においても、元上竿２と同様に竿元側端部に嵌合部分が形成される。そして、振出形式に引き出した際に、竿体同士が連結されることになる。
このような中通し竿では、釣りを行う際には、釣人は穂先竿４から順次元竿１の穂先側に引き出して連結して一本の釣竿として用いる。例えば、元上竿２と元竿１とにあっては、図２に示すように、元上竿２の嵌合部分２ａを元竿１の穂先側の内周面に嵌着させて連結する。そして、リール５からの釣糸Ｌを釣糸導入ガイド９，第１釣糸導入口８，第２釣糸導入口１０を通して、元上竿２の竿体内部に導入する。この釣糸Ｌは元上竿２内部を穂先側に挿通し、穂先竿４の穂先側端部より外部に導出される。
【００１９】
釣りを終えて中通し竿を収納する際には、釣人は釣糸Ｌを各竿体内に挿通させたままで穂先竿４から順次元竿１内に各竿体を収納してコンパクトな状態とする。この際、元上竿２と元竿１とにおいては、図３に示すように、釣糸Ｌが第１釣糸導入口８から元竿１内を竿元側に折り返され、元竿１内に収納された元上竿２の第２釣糸導入口１０から元上竿２内に至り、再び穂先側に折り返されることになる。この場合でも、第２釣糸導入口１０は元上竿２の嵌合部分２ａの穂先側に位置しており、釣糸Ｌは大径化した嵌合部分２ａ付近で元竿１と元上竿２との隙間に挟み込まれることはない。
【００２０】
［第２実施形態］
上記第１実施形態の変形例を示す。
図４に示すように、この中通し竿の元竿１１は、穂先側端部より一定範囲に於いて竿元側にテーパの変化がない（殆どテーパの変化なき超スローテーパの場合も含む）ストレートテーパ部分Ｘ１と、このストレートテーパ部分Ｘ１の竿元側に連続して竿元側ほど内径が大径化する第１テーパ部分Ｘ２と、この第１テーパ部分Ｘ２の竿元側に連続してなり第１テーパ部分Ｘ２より緩やかなテーパで竿元側ほど内径が大径化する第２テーパ部分Ｘ３とを有している。例えば、第１テーパ部分Ｘ１は２０／１０００〜３０／１０００程度のテーパ率であり、第２テーパ部分Ｘ２は１／１０００〜５／１０００程度のテーパ率であるというように、第１テーパ部分Ｘ１のテーパは急テーパに設定する。
【００２１】
この元竿１１の第１テーパ部分Ｘ１に第１釣糸導入口１８を形成する。この第１釣糸導入口１８は上記第１実施形態と同様であり、ガイドリングを周縁にはめ込んで固定してもよい。
元上竿１２は、元竿１１の穂先側に連結される竿体である。第１実施形態と同様に、竿元側端部は他の部分より特に外径が太径化した嵌合部分１２ａとなっており、嵌合部分１２ａの穂先側の周面には第２釣糸導入口２０が形成されている。そして、嵌合部分１２ａの外径は研磨加工などによって径調整され、元竿１１の第２テーパ部分Ｘ２の穂先側端部付近の内径に合致するように設定される。また、第２釣糸導入口２０は上述の第１釣糸導入口１８とほぼ同型に形成される貫通孔であって、第１実施形態と同様に、上述の嵌合部分１２ａが元竿１１の穂先側内周面に嵌着した際に、第２釣糸導入口２０と元竿１１の第１釣糸導入口１８との軸方向位置が合致するように設定される。
【００２２】
このような中通し竿でも、第１実施形態と同様の作用効果を奏することになる。さらに、元竿１１の２段テーパにより、元竿１１の第１釣糸導入口１８の竿元側には、元竿１１内周面と元上竿１２外周面との間に大きなクリアランスが形成される。このクリアランスが元上竿１２を元竿１に収納時の釣糸Ｌが挿通するための通路となる。よって、嵌合部分１２ａ以外での竿体間での釣糸Ｌの挟み込みも防止される。
【００２３】
［他の実施形態］
（ａ）上記各実施形態においては、第１釣糸導入口を元竿に、第２釣糸導入口を元上竿に設定しているが、これに限定されるものではない。中通し竿を構成する竿体の本数が増加すれば、他の竿体に釣糸導入口をそれぞれ設定することも可能である。
【００２４】
【発明の効果】
本発明に係る中通し竿では、釣糸を挿通したままでも円滑に竿体を振出形式に出し入れ可能である。
【図面の簡単な説明】
【図１】本発明の第１実施形態を採用した中通し竿の全体図。
【図２】図１の中通し竿において、元上竿２を元竿１の穂先側に引き出した状態を示した拡大断面図。
【図３】図１の中通し竿において、元上竿２を元竿１内に収納した状態を示した拡大断面図。
【図４】本発明の第２実施形態を採用した中通し竿の図３に相当する図。
【図５】従来の中通し竿の状態を示した図。
【符号の説明】
１，１１　元竿
２，１２　元上竿
２ａ，１２ａ　嵌合部分
８，１８　第１釣糸導入口
１０，２０　第１釣糸導入口
【図１】
2004089112.tif 000003
【図２】
2004089112.tif 000004
【図３】
2004089112.tif 000005
【図４】
2004089112.tif 000006
【図５】
2004089112.tif 000007